(57)【要約】      （修正有）【課題】小画面のカーナビゲーションを取付けた車に、大画面のカーナビゲーションを、簡単、且つ迅速に取換えて取付ける。【解決手段】大画面のカーナビゲーション１を装着固定する拡張パネル３の先方側開口部に、先方側へ行くに従い漸次小径の開口部となるように形成されたテーパー状突片１０を周設すると共に、該テーパー状突片１０の先方に、既設のフードカバー６の前面側外側端面部６ａに嵌合できる幅の嵌合突片１１を連設した拡張パネル３を、化粧パネル５の先方部に一体に接合固定し、既設のフードカバー６の前面側外側端面部６ａに、前記嵌合突片１１を嵌合すると共に、前記拡張パネル３に突設された嵌合突起１４を、前記既設のフードカバー６に設置されている嵌合孔１５に圧入固定する。【選択図】図２
2020163871.tif 000002
【特許請求の範囲】
【請求項１】
大画面のカーナビゲーションを装着固定できる幅広の枠状の開口部を備えた拡張パネルの先方側開口部に、先方側へ行くに従い漸次小径の開口部となるように形成されたテーパー状突片を周設すると共に、該テーパー状突片の先方に、既設のフードカバーの前面側外側面部に嵌合できる幅の嵌合突片を連設して形成された拡張パネルを、該拡張パネルと同様の幅広の枠状の開口部を備えた化粧パネルの先方部に一体に接合固定し、且つ前記拡張パネルの開口部より小径の開口部を備えた既設のフードカバーの前面側外側端面部に、前記嵌合突片を嵌合すると共に、前記拡張パネルに突設された嵌合突起を、前記既設のフードカバーに設置されている嵌合孔に圧入固定することを特徴とする自動車に取付けられた小画面のカーナビゲーションを大画面のカーナビゲーションに取換えて取付ける取付装置。
【発明の詳細な説明】
【技術分野】
【０００１】
自動車のインスツルメントパネルに予め取付られる純正カーナビゲーションは、最近、見易すく、且つ豪華にするため、幅約２３０ｍｍ程度の大画面のカーナビゲーションが採用されている。一方、前記大画面のカーナビゲーションを取付ける以前の車には、幅約１９０ｍｍ程度の小画面のカーナビゲーションが取付けられていた。そして、本発明は、前記小画面のカーナビゲーションを取付けた車の所有者の希望により、前記小画面のカーナビゲーションを取付けたインスツルメントパネルから、該小画面のカーナビゲーション取外した後に、撤去せずそのまま設置されている、既設のカーナビゲーション被覆用のフードカバーに、何ら切り取り加工等の拡張作業をすることなく、大画面のカーナビゲーションを、簡単、且つ迅速に取換えて取付けることができるようにした取付装置に関するものである。
【背景技術】
【０００２】
従来、自動車の購入時にインスツルメントパネルに予め取付けられている小画面のカーナビゲーションは、その後、自動車の所有者が大画面のカーナビゲーションに、簡単に取換えることができるような取付装置は存在しなかったので、自動車の所有者は一旦購入した自動車に予め取付けられていた小画面のカーナビゲーションで我慢せざるを得ず、極めて不便であるという課題があった。一方、本発明者は、小画面のカーナビゲーションに換えて、大画面のカーナビゲーションに簡単に取換えることができる取付装置に関し、過去の特許文献を遡及検索したが１件の特許文献も発見することができなかった。
【発明の概要】
【発明が解決しようとする課題】
【０００３】
本発明は、前記課題を解決すべくなされたものであって、小画面のカーナビゲーションを取付けた車の所有者の希望により、前記小画面のカーナビゲーションを取付けたインスツルメントパネルから、該小画面のカーナビゲーション取外した後に、撤去せずそのまま設置されている既設のフードカバーに、何ら切り取り加工等の拡張作業をすることなく、大画面のカーナビゲーションを、簡単、且つ迅速に取換えて取付けることができる取付装置に関するものである。
【課題を解決するための手段】
【０００４】
本発明は、大画面のカーナビゲーションを装着固定できる幅広の枠状の開口部を備えた拡張パネルの先方側開口部に、先方側へ行くに従い漸次小径の開口部となるように形成されたテーパー状突片を周設すると共に、該テーパー状突片の先方に、既設のフードカバーの前面側外側端面部に嵌合できる幅の嵌合突片を連設して形成された拡張パネルを、該拡張パネルと同様の幅広の枠状の開口部を備えた化粧パネルの先方部に一体に接合固定し、且つ前記拡張パネルの開口部より小径の開口部を備えた既設のフードカバーの前面側外側端面部に、前記嵌合突片を嵌合すると共に、前記拡張パネルに複数個突設された嵌合突起を、前記既設のフードカバーに設置されている嵌合孔に圧入固定するという手段を採用ことにより、上記課題を解決した。
【発明の効果】
【０００５】
上記構成より成る本発明によれば、小画面のカーナビゲーションを取付けた車の所有者の希望により、前記小画面のカーナビゲーションを取付けたインスツルメントパネルから、該小画面のカーナビゲーション取外した後に、撤去せずそのまま設置されている、既設のカーナビゲーション被覆用のフードカバーに、何ら切り取り加工等の拡張作業をすることなく、大画面のカーナビゲーションを、簡単、且つ迅速に取換えて取付けることができる。
【図面の簡単な説明】
【０００６】
【図１】本発明装置により大画面のカーナビゲーションを取付けたインスツルメントパネル部分の概略斜視図である。
【図２】本発明装置の組立て分解斜視図である。
【図３】本発明装置における拡張パネルの正面図である。
【図４】本発明装置における拡張パネルの背面図である。
【図５】本発明装置における化粧パネルの背面図である。
【図６】本発明装置において、拡張パネルに取付板を取付けた状態を背面側から見た斜視図である。
【図７】本発明装置において、拡張パネルにカーナビゲーションを装置した状態を示す側面図である。
【図８】従来装置により小画面のカーナビゲーションを取付けたインスツルメントパネル部分の概略斜視図である。
【図９】小画面のカーナビゲーションを取付ける従来装置の組立て分解斜視図である。
【実施例】
【０００７】
本発明は、従来使用されている幅約１９０ｍｍ程度の小画面のカーナビゲーションを取付けた車の所有者の希望により、前記小画面のカーナビゲーションを取付けたインスツルメントパネルから、該小画面のカーナビゲーション取外した後のカーナビゲーション取付開口部に、撤去されずにそのまま設置されている既設のカーナビゲーション被覆用のフードカバーに、幅約２３０ｍｍ程度の大画面のカーナビゲーションを取換えて取付けることができるようにした取付装置に関するものであるが、従来使用されている小画面のカーナビゲーションを取付けたインスツルメントパネル部分は、図８〜図９に示すように構成されている。
【０００８】
すなわち、図８は従来使用されている小画面のカーナビゲーションを装着したインスツルメントパネル部分の概略斜視図であり、図９は同組立て分解斜視図である。図８・図９に示すように、従来使用されている小画面のカーナビゲーション２１は、インスツルメントパネル２２に開口されたカーナビゲーション取付開口部２３に設置されている。そして、前記カーナビゲーション取付開口部２３には、中央にカーナビゲーション２１を挿通する挿通開口２４を備えると共に、前記カーナビゲーション取付開口部２３を上・下方およびに両側面側から被覆して、該カーナビゲーション２１を被覆して美麗に取付けるフードカバー２５が、インスツルメントパネル２２に設置固定されている。
【０００９】
一方、前記フードカバー２５内に取付けるカーナビゲーション２１は、該カーナビゲーション２１の画面２６が視認できるよう方形状開口部２７を備えると共に、前記フードカバー２５の前面側外側端面部２５ａに嵌合できるように、外側端部を先方側へ折曲して折曲片２８を形成した化粧パネル２９の先方側の両側および下端部に、前記カーナビゲーション２１を保持固定する、略凹状をした取付板３０が固定され、且つ該取付板３０に前記カーナビゲーション２１の両側壁および底面がビス止め等により固定されて、前記化粧パネル２９とカーナビゲーション２１が一体に固定されている。
【００１０】
そして、前記化粧パネル２９に一体に固定されたカーナビゲーション２１を、インスツルメントパネル２２に固定されたフードカバー２５の挿通開口２４に挿入して先方側へ押圧移動させて行くことにより、前記折曲片２８をフードカバー２５の前面側外側端面部２５ａに嵌合すると共に、前記化粧パネル２９の先方部の開口部両側に間隔を有して複数本突設された、先方部が細い三角形状の嵌合突起３１を、前記フードカバー２５の前面部の開口部内側面に間隔を有して設けられた嵌合孔３２に圧入して嵌合固定することにより、前記化粧パネル２８に一体に固定されたカーナビゲーション２１が前記フードカバー２５に一体に固定されて取付られている。
【００１１】
本発明は、前記従来使用されている幅約１９０ｍｍ程度の小画面のカーナビゲーションを装着したインスツルメントパネルから、前記フードカバーを撤去することなく残して、該小画面のカーナビゲーション取り外した後、該既設のフードカバーに、幅約２３０ｍｍ程度の大画面のカーナビゲーションを取換えて取付けることができるようにした取付装置に関するものである。すなわち、本発明は、大画面のカーナビゲーション１を装着できるようにした幅広の方形状開口部２を備えた拡張パネル３に、該大画面のカーナビゲーション１を装着固定すると共に、該大画面のカーナビゲーション１を装着固定した拡張パネル３の前面に、該拡張パネル３と同様の幅広の方形状開口部４を備えた化粧パネル５を一体に接合固定し、更に、前記化粧パネル５に大画面のカーナビゲーション１を装着固定した拡張パネル３を、前記既設のフードカバー６に装着固定できるように形成されている。
【００１２】
以下、更に本発明につき詳細に説明する。従来使用されている小画面のカーナビゲーションを取外した後のインスツルメントパネル７のカーナビゲーション取付開口部８には、前記従来使用されていた小画面のカーナビゲーションを被覆していた既設のフードカバー６が、撤去されずにそのまま設置固定されている。
【００１３】
一方、前記幅広の方形状開口部２を備えた拡張パネル３の先方側の両側および下端部に、前記カーナビゲーション１を保持固定する、略凹状をした取付板９が固定され、且つ該取付板９に前記カーナビゲーション１の両側壁および底面をビス止め等により固着することにより、該カーナビゲーション１は前記拡張パネル３に一体に固定される。
【００１４】
そして、本発明は、前記のように、従来使用されていた小画面のカーナビゲーションを装置していた既設のフードカバー６をそのまま使用するため、大画面のカーナビゲーション１を装着固定した拡張パネル３をそのまま使用するとサイズが合わず取付けることができない。そのため、本発明は、前記フードカバー７に装着固定できるよう、前記拡張パネル３の先方側開口部に、先方側へ行くに従い漸次小径の開口部となるように形成されたテーパー状突片１０を突設すると共に、該テーパー状突片１０の先方に、更に前記既設のフードカバー６の前面側外側端面部６ａに嵌合する嵌合突片１１が連設されている。
【００１５】
一方、前記構成より成る化粧パネル５を拡張パネル３に一体に接合固定する手段は、前記従来の化粧パネルをフードカバーに接合固定する手段と同一手段を採用する。すなわち、化粧パネル５の先方部の開口部両側に間隔を有して複数本突設された、先方部が細い三角形状の嵌合突起１２が、前記拡張パネル３の前面部の開口部内側面に間隔を有して設けられた嵌合孔１３に圧入して嵌合固定されることにより、前記カーナビゲーション１を一体に固定した拡張パネル３が前記化粧パネル５に接合固定されて取付けられる。
【００１６】
更に、前記構成より成る拡張パネル３を既設のフードカバー６に一体に接合固定する手段も前記従来の化粧パネルをフードカバーに接合固定する手段と同一手段を採用する。すなわち、拡張パネル３の先方部の開口部両側に間隔を有して複数本突設された、先方部が細い三角形状の嵌合突起１４が、前記既設のフードカバー６の前面部の開口部内側面に間隔を有して取付けられていた嵌合孔１５に圧入して嵌合固定されることにより、前記化粧パネル５の先方部にカーナビゲーション１を固定した拡張パネル３が既設のフードカバー６に一体に固定されるのである。
【００１７】
そして、前記のように構成された本発明装置の作用について説明する。大画面のカーナビゲーション１を拡張パネル３に固定すると共に、該拡張パネル３の前面に化粧パネル５を一体に接合固定した後、前記拡張パネル３の嵌合突片１１を既設のフードカバー６の前面側外側端面部６ａに嵌合すると共に、嵌合突起１４を前記既設のフードカバー６に設置されている嵌合孔１５に圧入して嵌合固定することにより、前記大画面のカーナビゲーション１を既設のフードカバー６に取換えて取付けることができる。
【００１８】
特に、本発明においては、前記拡張パネル３の先方側開口部に、先方側へ行くに従い漸次小径の開口部となるように形成されたテーパー状突片１０を突設すると共に、該テーパー状突片１０の先方に、更に前記既設のフードカバー７の前面側外側部に嵌合する嵌合突片１１が周設されているので、拡張パネル３と既設のフードカバー７の外径の寸法の違いを、前記テーパー状突片１０が吸収できるので、従来から取付られているフードカバーを取り外すことなく使用でき、その結果、寸法の大きなカーナビゲーショをも取付けのため、前記フードカバー７に、何ら切り取り加工等の拡張作業をすることなく、大画面のカーナビゲーションを、簡単、且つ迅速に取換えて取付けることができるのである。
【符号の説明】
【００１９】
１  大画面のカーナビゲーション
２  方形状開口部
３  拡張パネル
４  方形状開口部
５  化粧パネル
６  フードカバー
６ａ  フードカバーの前面側外側端面部
７  インスツルメントパネル
８  カーナビゲーション取付開口部
９  取付板
１０  テーパー状突片
１１  嵌合突片
１２  嵌合突起
１３  嵌合孔
１４  嵌合突起
１５  嵌合孔
【図１】
2020163871.tif 000003
【図２】
2020163871.tif 000004
【図３】
2020163871.tif 000005
【図４】
2020163871.tif 000006
【図５】
2020163871.tif 000007
【図６】
2020163871.tif 000008
【図７】
2020163871.tif 000009
【図８】
2020163871.tif 000010
【図９】
2020163871.tif 000011